(57)【要約】【課題】  フーリエ変換赤外分光光度計でフィルム状試料を透過測定するに当たり、フィルム状試料を位置決め保持して試料室にセットする際、試料に傷を付けたり異物を付着させる虞れなく、簡単にフィルム状試料を保持できる試料ホルダを提供する。【解決手段】  試料ホルダ１を厚紙製とし、二つ折りによりフィルム状試料を挟み込むように構成し、その二つ折り用の折り目２を挟んで両側の対称な位置に測光用孔３ａ，３ｂを形成するとともに、折り目２を挟んでその片側の領域には、測光用孔３ａから所定距離だけ離れた位置に、フィルム状試料Ｗの一辺の両角隅部を挿入して位置決め保持するための、外側端部が測光用孔３ａに近づく向きに傾斜した一対の切り込み４１ａ，４１ｂを形成することで、テープや糊、クリップなどの他部材を用いることなく試料Ｗの位置決め保持を可能とする。【選択図】図１
0003183194.tif 000002
【実用新案登録請求の範囲】
【請求項１】
赤外光源からの赤外光を干渉計により干渉光として試料室内に置かれた試料に照射し、その透過光もしくは反射光を検出器で検出したデータをフーリエ変換することにより、試料を透過もしくは反射した光のスペクトルを得るフーリエ変換赤外分光光度計で、フィルム状試料の透過測定を行うべく当該フィルム状試料を保持して上記試料室内の支持部材に装着するための試料ホルダであって、厚紙からなり、フィルム状試料を挟み込んで二つ折りにするための折り目を備えるとともに、その折り目を挟んで両側領域の互いに対称な位置に測光用孔が形成され、かつ、その片側の領域の上記測光用孔から所定距離離れた位置には、フィルム状試料の一辺の両角隅部をそれぞれ挿入して位置決め保持するための一対の切り込みが形成され、これらの各切り込みは、それぞれ、当該各切り込みの外側端部が上記測光用孔に近づく向きに傾斜していることを特徴とするフーリエ変換赤外分光光度計におけるフィルム状試料透過測定用試料ホルダ。
【請求項２】
上記各切り込みは、それぞれの両端部が上記測光用孔から遠ざかる向きに屈曲して矩形の三辺に相当する形状を有し、その矩形の他の一辺に相当する部位に折り目が形成され、その折り目により折り曲げることによりフラップ状に開閉するように構成されていることを特徴とする請求項１に記載のフーリエ変換赤外分光光度計におけるフィルム状試料透過測定用試料ホルダ。
【請求項３】
上記フィルム状試料の一辺の両角隅部をそれぞれ挿入して位置決め保持するための切り込みの対が、上記測光用孔からの距離が互いに異なる位置に複数対形成されていることを特徴とする請求項１または２に記載のフーリエ変換赤外分光光度計におけるフィルム状試料透過測定用試料ホルダ。
【考案の詳細な説明】
【技術分野】
【０００１】
本考案は、フーリエ変換赤外分光光度計によりフィルム状試料を透過測定する際に用いられる試料ホルダに関する。
【背景技術】
【０００２】
フーリエ変換赤外分光光度計においては、一般に、赤外光源からの赤外光を干渉計によって干渉光として試料に照射し、その透過光もしくは反射光を検出器で検出し、その検出データをフーリエ変換することによってスペクトルを求めるとともに、そのスペクトルと、試料を介さない状態での検出データをフーリエ変換して求めたスペクトルとの差から、試料による吸収スペクトルを求めて、試料に含まれる成分を分析する。
【０００３】
図３にこの種の分光光度計の光学系の要部の構成例を示す。赤外光源１０１からの赤外光は、集光鏡１０２、コリメータ鏡１０３、ビームスプリッタ１０４、固定鏡１０５および移動鏡１０６からなるマイケルソン型干渉計を経て干渉光となって試料Ｗに照射される。すなわち、赤外光源１０１から出射された赤外光は、集光鏡１０２およびコリメータ鏡１０３により平行光束に成形された後にビームスプリッタ１０４に照射され、ここで固定鏡１０５と移動鏡１０６にそれぞれ向かう光路に２分割される。固定鏡１０５および移動鏡１０６でそれぞれ反射した赤外光はビームスプリッタ１０４によって再び合一され、試料室１０７へと向かう。この測定中において上記した移動鏡１０６は、図中Ｍで示す矢印に沿って前後動し、これにより、ビームスプリッタ１０４で合一された赤外光は時間的に振幅が変動する干渉光（インターフェログラム）となる。
【０００４】
試料室１０７の前段には放物面鏡１０８が設けられており、干渉計により生成されたインターフェログラムはこの放物面鏡１０８によって集光された上で試料室１０７内に導入される。試料の透過測定に際しては、試料室１０７内の規定位置に試料Ｗを配置することにより干渉光が試料Ｗに照射され、その透過光が楕円面鏡１０９で集光された後に検出器１１０によりその強度が検出される。また、バックグラウンド測定に際しては、試料室１０７内に試料Ｗを入れずに、干渉光を直接的に検出器１１０に照射してその強度を検出する。
【０００５】
以上の各測定時の検出器１１０による検出出力はデジタル化された上で演算装置に取り込まれてフーリエ変換処理に供され、スペクトルが求められる。そして、これらの両スペクトルの差が、試料による赤外光の吸収スペクトルを表し、その吸収スペクトルから試料の成分を分析することができる（例えば特許文献１参照）。
【０００６】
試料室１０７内に配置される試料Ｗは、固体、液体および気体など、種々の形態のものがあるが、フィルムやそれに形態が類似する固体試料（以下、本明細書においてこれらを総称してフィルム状試料と称する）の測定に際しては、以下に例示するような３種の試料ホルダのいずれかが用いられる。
【０００７】
その一つは、マグネティックフィルムホルダと称されるもので、ステンレス（ＳＵＳ４３０）製のバックプレートと、ゴム磁石との組み合わせからなり、フィルム状試料はバックプレートとゴム磁石との間に挟み込まれた状態で保持される。バックプレートとゴム磁石には、フィルム状試料を挟み込んだ状態でその試料に測定用の干渉光が試料を透過するように測光用孔が形成されている。このマグネティックフィルムホルダでは、厚さ０．５ｍｍまでのフィルムを保持することができる。
【０００８】
他の一つは、ユニバーサルクリップホルダと称されるもので、金属製の本体にＯリングを介在させてフィルム状試料を固定用のねじを用いたクリップによりワンタッチで保持することができ、固定用のねじにより厚みのあるサンプルでも保持することができる。
【０００９】
更に他の一つは、二つ折りにしてフィルム状試料を挟み込むだけの厚紙製のホルダであり、二つ折りにするための折り目と、その折り目を挟んで互いに対称な位置にそれぞれ形成された測光用孔を設けたもので、フィルム状試料は、テープや糊、あるいは適当なクリップで紙製ホルダに固定した状態で紙製ホルダを二つ折りにすることよって挟み込まれて保持される。
【００１０】
以上のような試料ホルダは、フィルム状試料を保持した状態で、試料室内に固定されたカセッテ等と称される支持部材に装着して測定に供される。
【先行技術文献】
【特許文献】
【００１１】
【特許文献１】国際公開番号ＷＯ２０１０／０６４２７６号パンフレット
【考案の概要】
【考案が解決しようとする課題】
【００１２】
ところで、上記した従来のフィルム状試料のホルダにおいては、いずれも、マグネットやねじ、クリップ、テープなどを使って試料を固定するものであるため、固定の際に試料を傷つける可能性がある。また、マグネットやＯリング（特に劣化時）、粘着剤由来の物質が試料に付着する可能性もある。更に、マグネティックフィルムホルダでは、試料の厚さに制限があり、分厚い試料は保持できないという欠点がある。また、測光のための孔の大きさが決まっているため、試料が小さい場合には別途マスクを用意する必要があるという問題もある。
【００１３】
本考案はこのような従来のフィルム状試料用の試料ホルダが有している諸問題を解決して、フィルム状試料の保持時に試料を傷つけたり、あるいはホルダ由来の物質が試料に付着する虞れがなく、簡単にフィルム状試料を保持してフーリエ変換赤外分光光度計による測定に供することのできるフィルム状試料透過測定用ホルダの提供をその課題としている。
【課題を解決するための手段】
【００１４】
上記の課題を解決するため、本考案のフーリエ変換赤外分光光度計におけるフィルム状試料透過測定用試料ホルダは、赤外光源からの赤外光を干渉計により干渉光として試料室内に置かれた試料に照射し、その透過光もしくは反射光を検出器で検出したデータをフーリエ変換することにより、試料を透過もしくは反射した光のスペクトルを得るフーリエ変換赤外分光光度計で、フィルム状試料の透過測定を行うべく当該フィルム状試料を保持して上記試料室内の支持部材に装着するための試料ホルダであって、厚紙からなり、フィルム状試料を挟み込んで二つ折りにするための折り目を備えるとともに、その折り目を挟んで両側領域の互いに対称な位置に測光用孔が形成され、かつ、その片側の領域の上記測光用孔から所定距離離れた位置には、フィルム状試料の一辺の両角隅部をそれぞれ挿入して位置決め保持するための一対の切り込みが形成され、これらの各切り込みは、それぞれ、当該各切り込みの外側端部が上記測光用孔に近づく向きに傾斜していることによって特徴づけられる（請求項１）。
【００１５】
ここで、本考案においては、上記各切り込みは、それぞれの両端部が上記測光用孔から遠ざかる向きに屈曲して矩形の三辺に相当する形状を有し、その矩形の他の一辺に相当する部位に折り目が形成され、その折り目により折り曲げることによりフラップ状に開閉するように構成すること（請求項２）が好ましい。
【００１６】
また、本考案においては、上記フィルム状試料の一辺の両角隅部をそれぞれ挿入して位置決め保持するための切り込みの対が、上記測光用孔からの距離が互いに異なる位置に複数対形成されている構成（請求項３）を好適に採用することができる。
【００１７】
本考案は、試料ホルダを厚紙製とし、その厚紙以外の部材や物質を使うことなく、厚紙の構造によりフィルム状試料を保持することを可能とし、前記した課題を解決しようとするものである。
【００１８】
すなわち、本考案の試料ホルダは、二つ折りにしてフィルム状試料を挟み込む点は従来の厚紙製のホルダと同じであるが、従来の厚紙製ホルダでは糊やテープでフィルム状試料を位置決め固定していたのに対し、本考案においては、厚紙に切り込みを形成してフィルム状試料の一辺の両角隅部を差し込むことによって当該試料を位置決め保持する。したがって、本考案によれば、糊やテープの粘着剤がフィルム状試料に付着する虞れが皆無であり、また、クリップやねじ・磁石等を使わないため、試料が傷つく虞れもない。
【００１９】
また、厚紙製であるため、測光用孔の大きさが異なるものを複数種用意してもコスト的に問題となることがない。
【００２０】
本考案の試料ホルダにおけるフィルム状試料の角隅部を差し込むための一対の切り込みの各形状は、請求項２に記載のように、矩形の三辺に相当する形状とし、その矩形の他の一辺を折り曲げることによってフラップ状に開閉する構成とすることにより、フィルム状試料の角隅部の差し込みが容易となり、測定の作業性が向上する。
【００２１】
また、本考案の試料ホルダにおけるフィルム状試料の角隅部を差し込むための一対の切り込みは、一対だけとして、その形成位置の測光用孔からの距離を変更したものを複数種類用意してもよいが、一つの試料ホルダに、測光用孔からの距離が互いに異なる位置に複数対形成することにより、試料の大きさに応じてオペレータが適宜の切り込み対を選択することが可能となる。
【考案の効果】
【００２２】
本考案の試料ホルダによれば、厚紙製で他に何らの部材を用いることなくフィルム状試料を位置決め保持することができるため、従来のこの種の試料ホルダに比して、試料が傷ついたり、異物が付着する虞れがないことから、オペレータはそのような不具合を心配することなく簡単に試料を保持することができ、測定準備作業における負担を軽減することができる。
【図面の簡単な説明】
【００２３】
【図１】本考案の実施形態を展開した状態で示す正面図。
【図２】図１の実施形態においてフィルム状試料を挟み込んで試料室内の支持部材に装着する動作を説明する図。
【図３】フーリエ変換赤外分光光度計の光学系の要部構成例を示す図。
【考案を実施するための形態】
【００２４】
以下、図面を参照しつつ本考案の実施の形態について説明記する。
図１は本考案の実施の形態を展開状態で示す正面図である。この例における試料ホルダ１は、全体が厚紙で形成された細長い矩形形状をしており、その長辺の中央に対応する位置に二つ折り用折り目２が設けられている。また、その二つ折り用折り目２を挟んで両側の領域に、当該折り目２から互いに等しい距離で、かつ、短辺方向中心の位置にそれぞれ測光用孔３ａ，３ｂが形成されている。
【００２５】
二つ折り用折り目２を挟んで片側の領域には、当該折り目２と測光用孔３ａとの間に、三対の切り込み４１ａと４１ｂ、４２ａと４２ｂ、４３ａと４３ｂが形成されている。各切り込み４１ａ〜４３ｂは、図示したようにそれぞれ外側端部が測光用孔３ａに近づく向きに傾斜している。また、各切り込み４１ａと４１ｂ、４２ａと４２ｂ、および４３ａと４３ｂは、それぞれの両端部が測光用孔３ａから離隔する向きに屈曲し、矩形の三辺に相当する形状を有しているとともに、その矩形の残る他の辺に相当する位置には折り目ｆが形成されている。この折り目ｆを折り曲げることにより、各切り込みに囲まれた領域がフラップ状に開閉するように構成されている。
【００２６】
以上の本考案の実施の形態は、図２に模式的に示す手順でフィルム状試料を保持して、フーリエ変換赤外分光光度計の試料室（図３参照）に挿入される。
【００２７】
すなわち、試料ホルダ１を開いた状態で、フィルム状試料Ｗの一辺の両角隅部を、切り込み対４１〜４３のうちのいずれかに差し込む。このとき、フィルム状試料Ｗの大きさに応じて差し込むべき切り込み対を選択する。つまり、小さい試料は切り込み対４１に、大きい試料は切り込み対４３に、中間の大きさの試料は切り込み対４２に差し込む。差し込みに際しては、選択した切り込み対、例えば図示したように切り込み対４１の両側の切り込み４１ａ，４１ｂを、折り目ｆに沿って起こすように折り曲げることで、フィルム状試料Ｗの両角隅部を簡単に差し込むことができる。次に、二つ折り用折り目２に沿って試料ホルダ１を二つ折りにすることで、フィルム状試料Ｗは試料ホルダ１に挟み込まれた状態で、当該ホルダ１上で位置決めされ、測光用孔３ａ，３ｂの形成位置においてのみ外部に露呈した状態で保持される。
【００２８】
その状態で、図３に例示したフーリエ変換赤外分光光度計の試料室１０７の内部に設けられた支持部材１０に装着する。支持部材１０は、前記した従来の各種試料ホルダを装着可能な公知の構造のもので、両側縁部に沿って溝１０ａ，１０ｂが形成されているとともに、その下方には試料ホルダの上下位置を規制するためのストッパ１０ｄが設けられ、溝１０ａ，１０ｂの間には測光用孔１０ｃが形成されている。この測光用孔１０ｃの位置は、試料ホルダ１を溝１０ａ，１０ｂに挿入して押し込み、その下端をストッパ１０ｄに当接させた状態で、試料ホルダ１の測光用孔３ａ，３ｂと一致する位置である。
【００２９】
以上により、フーリエ変換赤外分光光度計によってフィルム状試料の測定準備が完了する。この実施の形態において特に注目すべき点は、フィルム状試料Ｗの試料ホルダ１への位置決め保持に際して、クリップやねじ・ゴム磁石、あるいは糊や粘着テープなど、他部材を全く使用しない点であり、これにより、フィルム状試料Ｗの測定準備に際して、試料を傷つけたり、ゴムや粘着剤などの試料ホルダ由来の異物が試料に付着する虞れがなくなる。
【００３０】
なお、以上の実施の形態においては、三対の切り込み対を設けた例を示したが、切り込み対の数は限定されることなく、任意の複数対とすることができ、更には一対であってもよい。なお、一対の切り込みを設ける場合は各種サイズの試料の保持が困難となるが、本考案の試料ホルダは厚紙製で低コストであることから、試料のサイズに応じて切り込み対の位置を異ならせた複数種の試料ホルダを用意すればよい。このことは測光用孔３ａ，３ｂのサイズについても同様であり、測光用孔３ａ，３ｂの大きさや形状の異なる複数種の試料ホルダをあらかじめ用意しておき、試料に応じて最適のものを選択すればよい。
【００３１】
また、試料ホルダ１の二つ折りの向きについても、上記の例では支持部材１０への装着状態で見て上下に二つ折りした例を示したが、左右に二つ折りするように構成してもよいことは勿論である。
【符号の説明】
【００３２】
１  試料ホルダ
２  二つ折り用折り目
３ａ，３ｂ  測光用孔
４１〜４３  切り込み対
４１ａ，４１ｂ，４２ａ，４２ｂ，４３ａ，４３ｂ  切り込み
１０  支持部材
ｆ  折り目
Ｗ  フィルム状試料
【図１】
0003183194.tif 000003
【図２】
0003183194.tif 000004
【図３】
0003183194.tif 000005